【事件の表示】
　平成　９年特許願第１９３２０６号「給紙装置」拒絶査定に対する審判事件［平成１１年　１月２６日出願公開、特開平１１−　２０９６０］について、次のとおり審決する。
【結　論】
　本件審判の請求は、成り立たない。
【理　由】
1．手続の経緯・本願発明
　本願は、平成９年７月３日の出願であって、その請求項1に係る発明は、平成１４年８月２３日付けの手続補正書及び平成１４年１１月８日付けの手続補正書により補正された明細書及び図面の記載からみて、その特許請求の範囲の請求項1に記載された事項により特定される次のとおりのものと認める。
  「【請求項１】　用紙を載置する用紙載置部材と、該用紙載置部材上の用紙を１枚づつ記録書込み部へ送り出す給紙ローラと、該給紙ローラの１回転動作中に、前記用紙載置部材を給紙可能な位置まで上昇させて給紙を開始させ、ついで前記用紙の給紙過程中に最上部の用紙と２枚目の用紙との摩擦力が軽減する程度に前記用紙載置部材を前記給紙ローラから離間する位置まで下降させ、最後に前記用紙載置部材を下端位置に下降させる昇降動手段と、を備えた給紙装置。」（以下、「本願発明」という。）
２．引用例
　これに対して、原査定の拒絶の理由に引用された、本願の出願前の平成９年３月２５日に頒布された刊行物である特開平９−７７２７３号公報（以
下、「引用刊行物」という。）には、次の事項が記載されている。
　（ア）「【請求項１】給紙時に回転して用紙を給送する給紙ローラと、この給紙ローラによって給送されるべき用紙を複数枚積層状態で保持するホッパと、このホッパに保持されている用紙を給紙ローラに当接させるべくホッパを給紙ローラに向けて付勢する付勢手段と、回転する給紙ローラによって最上位の用紙が給送される毎に当該最上位の用紙以外の用紙を給紙ローラから離間させるべく付勢手段の付勢力に抗してホッパを給紙ローラから後退させ、給紙時にはこのホッパの後退を解除するレリース手段と、前記付勢手段の付勢力によりホッパが給紙ローラに向かって移動する際、給紙ローラとの間隔が用紙少数枚分の厚さに等しい間隔になるまでホッパの移動速度を減速させる減速手段と、を備えたことを特徴とする給紙装置。」（特許請求の範囲の請求項１）
　（イ）「【作用】請求項１記載の給紙装置によれば、給送されるべき用紙は複数枚積層状態でホッパに保持される。
　【００２６】給紙時には、給紙ローラが回転し、ホッパの給紙ローラに対する後退がレリース手段によって解除され、付勢手段による付勢力によってホッパが給紙ローラに向けて付勢され、用紙が給紙ローラに当接する。
　【００２７】これによって、最上位の用紙が給紙ローラで給送されるとともに、レリース手段によって、ホッパは付勢手段の付勢力に抗して給紙ローラから後退させられ、最上位の用紙以外の用紙が給紙ローラから離間して、最上位の用紙のみが給送される。」（段落【００２５】〜【００２７】）
　（ウ）「＜第１の実施の形態＞
　図１は本発明に係る給紙装置の第１の実施の形態を備えたインクジェットプリンタを示す部分省略左側面図、図２は部分省略平面図である。
　【００４５】これらの図において、１００は給紙装置、２００はインクジェットプリンタの本体である。
　【００４６】給紙装置１００は、ペーパーサポート１１０と、ホッパ１２０と、付勢手段１２３と、給紙ローラ１３０と、レリース手段１６０（図３参照）と、減速手段１７０（図３参照）とを備えている。」（段落【００４４】〜【００４６】）
　（エ）「ホッパ１２０は、一対設けられており、支持棒１４０にスライド可能に挿通されている。・・・【００５０】ホッパ１２０には、エッジガイド１５０が設けられている。」（段落【００４９】、【００５０】）
　（オ）「したがって、ホッパ１２０は、エッジガイド１５０に対して上下動可能である。
　【００５３】ホッパ１２０の下面と、エッジガイド１５０の底板１５２との間には、付勢手段であるホッパバネ（圧縮バネ）１２３（図２参照）が設けられている。ホッパ１２０は、このホッパバネ１２３によって上方に向けて付勢されているが、支持棒１４０の両端部分（図２に仮想線Ｂで示す部
分）には、ホッパ１２０をホッパバネ１２３のバネ力に抗して仮想線で示すように押し下げ、あるいはその押し下げを解除するめの、レリース手段１６０（図３参照）が設けられている。」（段落【００５２】、【００５３】）
　（カ）「レリース手段１６０は、給紙ローラ軸１３１に固定され、給紙ローラ１３０とともに回転するほぼ半円板状（扇状）のカム１６１と、このカム１６１と係脱するカムフォロア１６２とを有している。
　【００５８】カムフォロア１６２は、縦部１６３と横部１６４とからなるほぼハンマー形状をなしており、前述した支持棒１４０と、１４１とで支持されている。なお、支持棒１４１に対しては、長穴１６４ａによって揺動可能かつスライド可能に支持されている。
　【００５９】縦部１６３の上端面１６３ａは、カム１６１の円周面１６１ａと摺接可能となっている。」（段落【００５７】〜【００５９】）
　（キ）「次に、以上のような給紙装置１００の作動について説明する。
　【００６９】（１）待機時には、給紙ローラ１３０は停止しており、図３に示すようにレリース手段１６０のカム１６１がカムフォロアの上端面１６３ａを下方に押圧していることにより、ホッパ１２０は給紙ローラ１３０から後退した状態にあり、したがって、用紙Ｐは給紙ローラ１３０から離間している（図７参照）。
　・・・・・
　【００７１】（３）給紙ローラ１３０が所定角度θ１（図示せず）回転した時点で、図４に示すように、レリース手段１６０のカム１６１とカムフォロア１６２の上端面１６３ａとの摺接が解除される。したがってホッパ１２０への前記押圧が解除され、ホッパ１２０がホッパバネ１２３の付勢力によって上動し、用紙が給紙ローラ１３０に当接する。
　・・・・・
　【００７５】なお、レリース手段１６０のカム１６１とカムフォロア１６２の上端面１６３ａとの摺接が解除された際、カムフォロア１６２の上端面１６３ａは、図４に示すように、カム１６１の角部１６１ｂの回転軌道中に位置する。
　【００７６】（４）用紙（図４には示さないが、図７参照）が給紙ローラ１３０に当接することによって、最上位の用紙が図１において左方に移動
し、分離パッド１３２で他の用紙と分離されつつ、給紙ローラ１３０が所定角度θ２（図示せず。θ２＞θ１）回転した時点で、カム１６１がカムフォロア１６２を押し下げる。これよってホッパ１２０が図３および図７に示すように下方に押圧され、最上位の用紙以外の用紙が給紙ローラ３から離間する。
　【００７７】これによって、最上位の用紙のみが図１矢印ｂ方向に向けてプリンタ本体２００に給送される。
　【００７８】（５）給紙ローラ１３０が１回転した時点で上記（１）の待機状態に戻る。
　【００７９】なお、図１において、２３０は給送された用紙を巻回すようにして印字部Ａに向けて搬送する紙送りローラ、２４０は印字ヘッド、２５１，２５２は、印字後の用紙を搬送する搬送ローラ対、２６１，２６２は、ホッパ１２０の上方にある図示しない排紙トレイ上に用紙を排出する排紙ローラ対である。」（段落【００６８】、【００６９】、【００７１】、【００７５】〜【００７９】）
　上記（キ）の「（４）用紙（図４には示さないが、図７参照）が給紙ローラ１３０に当接することによって、最上位の用紙が図１において左方に移動し、分離パッド１３２で他の用紙と分離されつつ、」、「これによって、最上位の用紙のみが図１矢印ｂ方向に向けてプリンタ本体２００に給送され
る。」、「なお、図１において、２３０は給送された用紙を巻回すようにして印字部Ａに向けて搬送する紙送りローラ、２４０は印字ヘッド、」及び図１の記載からすると、給紙ローラは、ホッパ上の用紙を１枚づつ印刷部へ送り出すものであることが記載されていると認められる。
　また、上記（イ）の「これによって、最上位の用紙が給紙ローラで給送されるとともに、レリース手段によって、ホッパは付勢手段の付勢力に抗して給紙ローラから後退させられ、最上位の用紙以外の用紙が給紙ローラから離間して、最上位の用紙のみが給送される。」及び（キ）の（４）の記載並びに図１、図３、図４、図７の記載における給紙ローラの形状及び半円板状（扇状）のカム１６１の形状から、レリース手段は、回転する給紙ローラによって最上位の用紙の給送過程中に最上位の用紙以外の用紙を給紙ローラから離間させるべく付勢手段の付勢力に抗してホッパを給紙ローラから下方に後退させるものと認められる。
　そうすると、上記（ア）〜（キ）及び図１、図３、図４、図７の記載を総合すると、引用刊行物には、「ホッパと、ホッパに保持された用紙を１枚づつ印刷部へ送り出す給紙ローラと、該給紙ローラの１回転動作中に、このホッパに保持されている用紙を給紙ローラに当接させるべくホッパを給紙ローラに向けて付勢させ、上動させて、ホッパの最上部の用紙を給紙ローラにて給送させる付勢手段と、回転する給紙ローラによって最上位の用紙の給送過程中に当該最上位の用紙以外の用紙を給紙ローラから離間させるべく付勢手段の付勢力に抗してホッパを給紙ローラから下方に後退させるレリース手段と、を備えた給紙装置。」の発明（以下、「引用刊行物記載の発明」とい
う。）が記載されていると認められる。
３．対比
  本願発明と引用刊行物記載の発明とを対比すると
　引用刊行物記載の発明の「ホッパ」、「印刷部」、「回転する給紙ローラによって最上位の用紙の給送過程中」は、それぞれ、本願発明の「用紙載置部材」、「記録書込み部」、「用紙の給紙過程中」に相当すると認められ
る。
　また、引用刊行物記載の発明の「該給紙ローラの１回転動作中に、このホッパに保持されている用紙を給紙ローラに当接させるべくホッパを給紙ローラに向けて付勢させ、上動させて、ホッパの最上部の用紙を給紙ローラにて給送させる付勢手段」は、「このホッパに保持されている用紙を給紙ローラに当接させる」位置が、「給紙可能な位置」といえるとともに、「ホッパの最上部の用紙を給紙ローラにて給送させる」が、「給紙を開始させ」る、といえるから、「給紙ローラの１回転動作中に、ホッパ（用紙載置部材）を給紙可能な位置まで上動させて給紙を開始させる付勢手段」ということができる。引用刊行物記載の発明の「上動させ」る、「下方に後退させ」る、は、本願発明の「上昇させ」る、「下降させる」に相当すると認められる。ま
た、引用刊行物記載の発明の「付勢手段」及び「レリース手段」は、ホッパを上動させるとともに下方に後退させるから、これらは本願発明の「昇降動手段」に相当するものと認められる。
　そうすると本願発明と引用刊行物記載の発明とは、本願発明で用いられている用語で表現すると、「用紙を載置する用紙載置部材と、該用紙載置部材上の用紙を１枚づつ記録書込み部へ送り出す給紙ローラと、該給紙ローラの１回転動作中に、前記用紙載置部材を給紙可能な位置まで上昇させて給紙を開始させ、ついで前記用紙の給紙過程中に前記用紙載置部材を下降させる昇降動手段と、を備えた給紙装置。」である点で一致し、次の点で相違する。
　相違点
　本願発明が、昇降動手段として、給紙ローラの１回転動作中に、前記用紙載置部材を給紙可能な位置まで上昇させて給紙を開始させ、ついで前記用紙の給紙過程中に最上部の用紙と２枚目の用紙との摩擦力が軽減する程度に前記用紙載置部材を前記給紙ローラから離間する位置まで下降させ、最後に前記用紙載置部材を下端位置に下降させるものを備えているのに対し、引用刊行物記載の発明は、昇降動手段が、給紙ローラの１回転動作中に、前記ホッパ（用紙載置部材）を給紙可能な位置まで上昇させて給紙を開始させる附勢手段と、回転する給紙ローラによって最上位の用紙が給送される過程中（紙の給紙過程中）に当該最上位の用紙以外の用紙を給紙ローラから離間させるべく付勢手段の付勢力に抗してホッパを給紙ローラから下方に後退させるレリース手段とからなるものである点。
４．相違点の判断　
　引用刊行物記載の発明の「付勢手段」はホッパを上動させ、「レリース手段」はホッパを下方に後退させるから、これら「付勢手段」及び「レリース手段」はホッパの「昇降動手段」を構成しているといえる。
　引用刊行物記載の発明の、紙の給紙過程中に最上位の用紙以外の用紙を給紙ローラから離間させるべく付勢手段の付勢力に抗してホッパを給紙ローラから下方に後退させるレリース手段は、給紙ローラ１３０とともに回転する半円板状カム１６１とハンマー形状のカムフォロア１６２とを有している（上記（カ）の記載を参照）。
　上記（カ）及び（キ）の記載並びに図３、図４の記載によれば、給紙ローラ１３０が最上位の用紙を給送しつつ所定角度θ２回転した時点で、カム１６１の角部１６１ｂがカムフォロア１６２の上端面１６３ａに係合、摺接することになり、カムフォロア及びホッパを押し下げて下方に後退させ始め、最上位の用紙以外の用紙が給紙ローラ３から離間し始める。給紙ローラの継続している回転により、カムフォロア及びホッパを押し下げて下方へ後退させることが進行し、最上位の用紙以外の用紙の給紙ローラからの離間も進行して、最上位の用紙と最上位の用紙以外の用紙である２枚目の用紙との間に隙間が生じるようになる。この場合、隙間が生じることにより、明文の記載はないが、最上位の用紙は、２枚目の用紙との摩擦力が軽減された状態で、給紙ローラと分離パッド１３２とにより矢印ｂ方向に向けてプリンタ本体２００に給送されていることは明らかである。継続している給紙ローラの回転により、カムフォロア及びホッパが更に下方に後退して最上位の用紙以外の用紙の給紙ローラからの離間も更に進行し、上記最上位の用紙と２枚目の用紙との隙間は拡大するが、拡大しても、最上位の用紙は、２枚目の用紙との摩擦力が軽減された状態で、給送されていることが継続していることは明らかである。そして、給紙ローラがある回転角度になると、半円板状のカムの角部とカムフォロアの上端面との係合、摺接から半円板状のカムの円周面１６１ａと上端面との係合、摺接に移行することになる。半円板状のカムの円周面はカムの回転中心からの距離が一定であるから、給紙ローラが回転してもカムフォロア及びホッパは、その押し下げによる下方への後退はなくな
り、所定の下端位置を維持することになる。この所定の下端位置はホッパの待機位置である。
　以上によれば、引用刊行物記載の発明は、用紙の給紙過程中にホッパ（用紙載置部材）を下端位置に後退させる途中で、最上部の用紙と２枚目の用紙との摩擦力が軽減する程度にホッパ（用紙載置部材）を給紙ローラから離間する状態を所定時間継続していることは明らかである。
　そして、カム機構において、カム面を多段にした、いわゆる、多段カムを用いることが従来周知の技術である(必要ならば、特開昭５８−４８３２６号公報、特開昭６０−１７２１１９号公報、特開平６−２７３６５６号公報を参照）ことを考慮すると、最上部の用紙と２枚目の用紙との摩擦力が軽減する程度にホッパ（用紙載置部材）を給紙ローラから離間する状態を所定時間継続する一つの態様として、半円板状のカムにおいて角部と円周面とが連なるの部分に該円周面より小半径の円周面を設けるようにして多段カムと
し、最上部の用紙と２枚目の用紙との摩擦力が軽減する程度にホッパ（用紙載置部材）が給紙ローラから離間する所定位置に、所定時間、留まるようにした後に、下端位置に後退させるようにすること、すなわち、用紙の給紙過程中に最上部の用紙と２枚目の用紙との摩擦力が軽減する程度に用紙載置部材を給紙ローラから離間する位置まで下降させ、最後に用紙載置部材を下端位置に下降させるようにすることは、当業者であるならば容易に想到し得たものである。また、このようにしたことによる効果も格別なものではない。
　
　なお、審判請求書の請求の理由で、引例１（特開平９−７７２７３号公
報）には、用紙が給紙ローラに当接する位置と用紙が給紙ローラから離れる位置との２位置を給紙ホッパが移動する「移動過程」が給紙動作中に実行されることを示唆する記載は存在しない旨主張しているが、上記「２．引用
例」に記載しているように、給紙ホッパが移動する「移動過程」が給紙動作中に実行されることが引用例１に記載されていると認められる。
５．むすび
　したがって、本願発明は、引用刊行物に記載された発明に基いて当業者が容易に発明をすることができたものであるので、特許法第２９条第２項の規定により特許を受けることができない。
   よって、結論のとおり審決する。